(57)【要約】【課題】楽器を保持する楽器スタンドにおいて、楽器を支える背面版を前後に折りたたむ方式を用い、先端突起を用いない楽器スタンドを提供する。【解決手段】楽器スタンド１は、楽器の重量を支える凹面の受け台２の側面の回転軸４において、楽器を斜めに受けて支える背面板３を固定している。このようにすることで、背面版を前方に回転させ、折りたたむことが可能となる。また、このようにすることで、先端突起を用いない楽器スタンドが可能となる。【選択図】図１
2010262185.tif 000002
【特許請求の範囲】
【請求項１】
楽器の重量を支える凹面の受け台と、
楽器を斜めに受けて支える背面板と、
その背面版を回転させるための回転手段と
を有することを特徴とする楽器スタンド。
【発明の詳細な説明】
【技術分野】
【０００１】
本発明は、折りたたみ式楽器スタンドに関するものである。
【背景技術】
【０００２】
従来より、折りたたみ式楽器スタンドにはいくつかの方式があった。
【先行技術文献】
【特許文献】
【０００３】
【特許文献１】特開２００７−６５６１０号公報
【発明の概要】
【発明が解決しようとする課題】
【０００４】
例えば特許文献１に開示された図７の蝶番２０による折りたたみ方式においては、左右に折りたたむことが可能である。そのために先端突起６によって楽器の転倒を防ぐ形となっている。しかしながら、先端突起６は突起物であるため、楽器を不注意に置いた場合、楽器を傷つける可能性がある。
【０００５】
そこで、本発明は、楽器を支える背面版を前後に折りたたむ方式を用い、先端突起を用いない楽器スタンドを提供することを目的とする。
【課題を解決するための手段】
【０００６】
上記目的を達成するために、請求項１記載の発明は、
楽器の重量を支える凹面の受け台と、
楽器を斜めに受けて支える背面板と、
その背面版を回転させるための回転手段と
を有することを特徴とするものである。
【発明の効果】
【０００７】
以上に説明したように、本発明の楽器スタンドによれば、先端突起を用いない折りたたみ式楽器スタンドを提供することが可能となる。
【図面の簡単な説明】
【０００８】
【図１】本発明の第１の実施の形態の「正面図」を示す図である。
【図２】本発明の第１の実施の形態の「背面図」を示す図である。
【図３】本発明の第１の実施の形態の「右側面図」を示す図である。
【図４】本発明の第１の実施の形態の「平面図」を示す図である。
【図５】本発明の第１の実施の形態の「底面図」を示す図である。
【図６】本発明の第１の実施の形態の「折りたたんだ状態を示す正面図」を示す図である。
【図７】本発明の第１の実施の形態の「折りたたんだ状態を示す背面図」を示す図である。
【図８】本発明の第１の実施の形態の「折りたたんだ状態を示す右側面図」を示す図である。
【図９】本発明の第１の実施の形態の「折りたたんだ状態を示す平面図」を示す図である。
【図１０】本発明の第１の実施の形態の「折りたたんだ状態を示す底面図」を示す図である。
【図１１】本発明の第１の実施の形態の「参考斜視図」を示す図である。
【図１２】本発明の第１の実施の形態の「折りたたんだ状態を示す参考斜視図」を示す図である。
【図１３】本発明の第１の実施の形態の「使用状態を表す参考図」を示す図である。
【図１４】本発明の第１の実施の形態の楽器スタンドを示す図である。
【図１５】本発明の第１の実施の形態の回転軸部分を示す図である。
【図１６】本発明の第１の実施の形態の回転軸部分を示す図である。
【図１７】本発明の第２の実施の形態の「正面図」を示す図である。
【図１８】本発明の第２の実施の形態の「背面図」を示す図である。
【図１９】本発明の第２の実施の形態の「右側面図」を示す図である。
【図２０】本発明の第２の実施の形態の「平面図」を示す図である。
【図２１】本発明の第２の実施の形態の「底面図」を示す図である。
【図２２】本発明の第２の実施の形態の「折りたたんだ状態を示す正面図」を示す図である。
【図２３】本発明の第２の実施の形態の「折りたたんだ状態を示す背面図」を示す図である。
【図２４】本発明の第２の実施の形態の「折りたたんだ状態を示す右側面図」を示す図である。
【図２５】本発明の第２の実施の形態の「折りたたんだ状態を示す平面図」を示す図である。
【図２６】本発明の第２の実施の形態の「折りたたんだ状態を示す底面図」を示す図である。
【図２７】本発明の第２の実施の形態の「参考斜視図」を示す図である。
【図２８】本発明の第２の実施の形態の「折りたたんだ状態を示す参考斜視図」を示す図である。
【図２９】本発明の第２の実施の形態の「使用状態を表す参考図」を示す図である。
【図３０】本発明の第３の実施の形態の「正面図」を示す図である。
【図３１】本発明の第３の実施の形態の「背面図」を示す図である。
【図３２】本発明の第３の実施の形態の「右側面図」を示す図である。
【図３３】本発明の第３の実施の形態の「平面図」を示す図である。
【図３４】本発明の第３の実施の形態の「底面図」を示す図である。
【図３５】本発明の第３の実施の形態の「折りたたんだ状態を示す正面図」を示す図である。
【図３６】本発明の第３の実施の形態の「折りたたんだ状態を示す背面図」を示す図である。
【図３７】本発明の第３の実施の形態の「折りたたんだ状態を示す右側面図」を示す図である。
【図３８】本発明の第３の実施の形態の「折りたたんだ状態を示す平面図」を示す図である。
【図３９】本発明の第３の実施の形態の「折りたたんだ状態を示す底面図」を示す図である。
【図４０】本発明の第３の実施の形態の「参考斜視図」を示す図である。
【図４１】本発明の第３の実施の形態の「折りたたんだ状態を示す参考斜視図」を示す図である。
【図４２】本発明の第３の実施の形態の「使用状態を表す参考図」を示す図である。
【図４３】本発明の第４の実施の形態の「正面図」を示す図である。
【図４４】本発明の第４の実施の形態の「背面図」を示す図である。
【図４５】本発明の第４の実施の形態の「右側面図」を示す図である。
【図４６】本発明の第４の実施の形態の「平面図」を示す図である。
【図４７】本発明の第４の実施の形態の「底面図」を示す図である。
【図４８】本発明の第４の実施の形態の「参考斜視図」を示す図である。
【図４９】本発明の第４の実施の形態の「使用状態を表す参考図」を示す図である。
【図５０】本発明の第５の実施の形態の「正面図」を示す図である。
【図５１】本発明の第５の実施の形態の「背面図」を示す図である。
【図５２】本発明の第５の実施の形態の「右側面図」を示す図である。
【図５３】本発明の第５の実施の形態の「平面図」を示す図である。
【図５４】本発明の第５の実施の形態の「底面図」を示す図である。
【図５５】本発明の第５の実施の形態の「参考斜視図」を示す図である。
【図５６】本発明の第５の実施の形態の「使用状態を表す参考図（１）」を示す図である。
【図５７】本発明の第５の実施の形態の「使用状態を表す参考図（２）」を示す図である。
【図５８】本発明の第６の実施の形態の「正面図」を示す図である。
【図５９】本発明の第６の実施の形態の「背面図」を示す図である。
【図６０】本発明の第６の実施の形態の「右側面図」を示す図である。
【図６１】本発明の第６の実施の形態の「平面図」を示す図である。
【図６２】本発明の第６の実施の形態の「底面図」を示す図である。
【図６３】本発明の第６の実施の形態の「参考斜視図」を示す図である。
【図６４】本発明の第６の実施の形態の「使用状態を表す参考図」を示す図である。
【発明を実施するための形態】
【実施例１】
【０００９】
本発明のひとつの実施の形態について、図１〜図１６を参照して説明する。
【００１０】
（意匠に係る物品）  楽器スタンド
（意匠に係る物品の説明）  本物品は、楽器を支える背面部分が倒れることで折りたたみ可能な楽器スタンドである。
（意匠の説明）  左側面図と右側面図が対称につき、左側面図を省略する。同じく、折りたたんだ状態を示す左側面図と折りたたんだ状態を示す右側面図が対称につき、折りたたんだ状態を示す左側面図を省略する。
（書類名）        図面
図１に、本実施例の「正面図」を示す。
図２に、本実施例の「背面図」を示す。
図３に、本実施例の「右側面図」を示す。
図４に、本実施例の「平面図」を示す。
図５に、本実施例の「底面図」を示す。
図６に、本実施例の「折りたたんだ状態を示す正面図」を示す。
図７に、本実施例の「折りたたんだ状態を示す背面図」を示す。
図８に、本実施例の「折りたたんだ状態を示す右側面図」を示す。
図９に、本実施例の「折りたたんだ状態を示す平面図」を示す。
図１０に、本実施例の「折りたたんだ状態を示す底面図」を示す。
（書類名）        写真
図１１に、本実施例の「参考斜視図」を示す。
図１２に、本実施例の「折りたたんだ状態を示す参考斜視図」を示す。
図１３に、本実施例の「使用状態を表す参考図」を示す。
【００１１】
図１４において、三線スタンド１は、凹面の受け台２と背面板３とで構成されている。背面板３は受け台２の側面において、回転軸４により固定され、背面板３は回転することが出来る。
【００１２】
図１５及び図１６において、回転軸４部分の拡大図を示す。この場合、背面板３が回転軸部分の突起を有する。
もちろん、逆に受け台２が回転軸部分の突起を有してもよいし、また、回転軸４となる別の部品を埋め込む方式でも良いことはもちろんである。
【実施例２】
【００１３】
本発明のひとつの実施の形態について、図１７〜図２９を参照して説明する。
【００１４】
（意匠に係る物品）  楽器スタンド
（意匠に係る物品の説明）  本物品は、楽器を支える背面部分が倒れることで折りたたみ可能な楽器スタンドである。
（意匠の説明）  左側面図と右側面図が対称につき、左側面図を省略する。同じく、折りたたんだ状態を示す左側面図と折りたたんだ状態を示す右側面図が対称につき、折りたたんだ状態を示す左側面図を省略する。
（書類名）        図面
図１７に、本実施例の「正面図」を示す。
図１８に、本実施例の「背面図」を示す。
図１９に、本実施例の「右側面図」を示す。
図２０に、本実施例の「平面図」を示す。
図２１に、本実施例の「底面図」を示す。
図２２に、本実施例の「折りたたんだ状態を示す正面図」を示す。
図２３に、本実施例の「折りたたんだ状態を示す背面図」を示す。
図２４に、本実施例の「折りたたんだ状態を示す右側面図」を示す。
図２５に、本実施例の「折りたたんだ状態を示す平面図」を示す。
図２６に、本実施例の「折りたたんだ状態を示す底面図」を示す。
（書類名）        写真
図２７に、本実施例の「参考斜視図」を示す。
図２８に、本実施例の「折りたたんだ状態を示す参考斜視図」を示す。
図２９に、本実施例の「使用状態を表す参考図」を示す。
【００１５】
本実施形態においては、背面板の上部に穴を設け、また下部に曲面状の切込みを設けている。背面板上部の穴は、本楽器スタンドを運ぶときに取っ手の役割を果たすことも出来る。
【実施例３】
【００１６】
本発明のひとつの実施の形態について、図３０〜図４２を参照して説明する。
【００１７】
（意匠に係る物品）  楽器スタンド
（意匠に係る物品の説明）  本物品は、楽器を支える背面部分が倒れることで折りたたみ可能な楽器スタンドである。
（意匠の説明）  左側面図と右側面図が対称につき、左側面図を省略する。同じく、折りたたんだ状態を示す左側面図と折りたたんだ状態を示す右側面図が対称につき、折りたたんだ状態を示す左側面図を省略する。
（書類名）        図面
図３０に、本実施例の「正面図」を示す。
図３１に、本実施例の「背面図」を示す。
図３２に、本実施例の「右側面図」を示す。
図３３に、本実施例の「平面図」を示す。
図３４に、本実施例の「底面図」を示す。
図３５に、本実施例の「折りたたんだ状態を示す正面図」を示す。
図３６に、本実施例の「折りたたんだ状態を示す背面図」を示す。
図３７に、本実施例の「折りたたんだ状態を示す右側面図」を示す。
図３８に、本実施例の「折りたたんだ状態を示す平面図」を示す。
図３９に、本実施例の「折りたたんだ状態を示す底面図」を示す。
（書類名）        写真
図４０に、本実施例の「参考斜視図」を示す。
図４１に、本実施例の「折りたたんだ状態を示す参考斜視図」を示す。
図４２に、本実施例の「使用状態を表す参考図」を示す。
【００１８】
本実施形態においては、背面板の下部に曲面状の切込みを設けている。この切り込みは、本楽器スタンドを運ぶときに取っ手の役割を果たすことも出来る。
【実施例４】
【００１９】
本発明のひとつの実施の形態について、図４３〜図４９を参照して説明する。
【００２０】
（意匠に係る物品）  楽器スタンド
（意匠に係る物品の説明）  本物品は、楽器を基台に載せて保持する楽器スタンドである。
（意匠の説明）  左側面図と右側面図が対称につき、左側面図を省略する。
（書類名）        図面
図４３に、本実施例の「正面図」を示す。
図４４に、本実施例の「背面図」を示す。
図４５に、本実施例の「右側面図」を示す。
図４６に、本実施例の「平面図」を示す。
図４７に、本実施例の「底面図」を示す。
（書類名）        写真
図４８に、本実施例の「参考斜視図」を示す。
図４９に、本実施例の「使用状態を表す参考図」を示す。
【００２１】
本実施形態においては、折りたたみ方式ではないが、背面部の側面において楽器を支えることが出来る。
【実施例５】
【００２２】
本発明のひとつの実施の形態について、図５０〜図５７を参照して説明する。
【００２３】
（意匠に係る物品）  楽器スタンドカバー
（意匠に係る物品の説明）  本物品は、布あるいは皮革、合成樹脂などの柔軟な素材からなる楽器スタンドカバーである。
（意匠の説明）  左側面図と右側面図が対称につき、左側面図を省略する。
（書類名）        図面
図５０に、本実施例の「正面図」を示す。
図５１に、本実施例の「背面図」を示す。
図５２に、本実施例の「右側面図」を示す。
図５３に、本実施例の「平面図」を示す。
図５４に、本実施例の「底面図」を示す。
（書類名）        写真
図５５に、本実施例の「参考斜視図」を示す。
図５６に、本実施例の「使用状態を表す参考図（１）」を示す。
図５７に、本実施例の「使用状態を表す参考図（２）」を示す。
【００２４】
本実施形態においては、楽器スタンドを包む楽器スタンドカバーを用いた例を示す。本楽器スタンドカバーは、カバーの素材や模様などを選択することで、装飾的役割を持つことも出来る。
【００２５】
なお、本楽器スタンドカバーは、背部の穴に紐を通して固定する形態を示しているが、これに限定されず、例えばゴムなどによる固定の方法や、マジックテープ（登録商標）を用いた固定の方法なども考えられる。また、背部の両端を初めから結合した形態でも良いのはもちろんである。また、クッション性を高めるため、内部に綿などの詰め物を用いても良いことはもちろんである。
【実施例６】
【００２６】
本発明のひとつの実施の形態について、図５８〜図６４を参照して説明する。
【００２７】
（意匠に係る物品）  楽器スタンド
（意匠に係る物品の説明）  本物品は、楽器を基台に載せて保持する楽器スタンドである。
（意匠の説明）  左側面図と右側面図が対称につき、左側面図を省略する。
（書類名）        図面
図５８に、本実施例の「正面図」を示す。
図５９に、本実施例の「背面図」を示す。
図６０に、本実施例の「右側面図」を示す。
図６１に、本実施例の「平面図」を示す。
図６２に、本実施例の「底面図」を示す。
（書類名）        写真
図６３に、本実施例の「参考斜視図」を示す。
図６４に、本実施例の「使用状態を表す参考図」を示す。
【００２８】
本実施形態においては、楽器を支える背面板が直線の形状をしているのが特徴である。
なお、本実施形態においては、楽器を支える背面板が固定されている形態として示したが、これに限定されず、背面板を前後に回転させて折りたたむ形態でも良いことはもちろんである。
【００２９】
なお、上記の各実施形態では、受け台２の側面部分を軸として背面部分３を回転させる形態として説明したが、これに限定されず、回転の軸を他の部分においても良いことはもちろんである。
【００３０】
具体的には、例えば背面部分３と凹面の受け台２とを、正面もしくは背面において蝶番などを用いて結合することで、背面部分を回転させることも出来る。
また、上記の各実施形態において、背面板を前方へ回転させるのではなく、後方に回転させて折りたたむ形態でも良いことはもちろんである。
【００３１】
また、上記の各実施形態では、背面部分が回転して折りたためる形態を示したが、これに限定されず、折りたたむことのない、背面部分を固定した形態でも良いことはもちろんである。
【符号の説明】
【００３２】
１    楽器スタンド
２    受け台
３    背面版
４    回転軸
【図１】
2010262185.tif 000003
【図２】
2010262185.tif 000004
【図３】
2010262185.tif 000005
【図４】
2010262185.tif 000006
【図５】
2010262185.tif 000007
【図６】
2010262185.tif 000008
【図７】
2010262185.tif 000009
【図８】
2010262185.tif 000010
【図９】
2010262185.tif 000011
【図１０】
2010262185.tif 000012
【図１１】
2010262185.tif 000013
【図１２】
2010262185.tif 000014
【図１３】
2010262185.tif 000015
【図１４】
2010262185.tif 000016
【図１５】
2010262185.tif 000017
【図１６】
2010262185.tif 000018
【図１７】
2010262185.tif 000019
【図１８】
2010262185.tif 000020
【図１９】
2010262185.tif 000021
【図２０】
2010262185.tif 000022
【図２１】
2010262185.tif 000023
【図２２】
2010262185.tif 000024
【図２３】
2010262185.tif 000025
【図２４】
2010262185.tif 000026
【図２５】
2010262185.tif 000027
【図２６】
2010262185.tif 000028
【図２７】
2010262185.tif 000029
【図２８】
2010262185.tif 000030
【図２９】
2010262185.tif 000031
【図３０】
2010262185.tif 000032
【図３１】
2010262185.tif 000033
【図３２】
2010262185.tif 000034
【図３３】
2010262185.tif 000035
【図３４】
2010262185.tif 000036
【図３５】
2010262185.tif 000037
【図３６】
2010262185.tif 000038
【図３７】
2010262185.tif 000039
【図３８】
2010262185.tif 000040
【図３９】
2010262185.tif 000041
【図４０】
2010262185.tif 000042
【図４１】
2010262185.tif 000043
【図４２】
2010262185.tif 000044
【図４３】
2010262185.tif 000045
【図４４】
2010262185.tif 000046
【図４５】
2010262185.tif 000047
【図４６】
2010262185.tif 000048
【図４７】
2010262185.tif 000049
【図４８】
2010262185.tif 000050
【図４９】
2010262185.tif 000051
【図５０】
2010262185.tif 000052
【図５１】
2010262185.tif 000053
【図５２】
2010262185.tif 000054
【図５３】
2010262185.tif 000055
【図５４】
2010262185.tif 000056
【図５５】
2010262185.tif 000057
【図５６】
2010262185.tif 000058
【図５７】
2010262185.tif 000059
【図５８】
2010262185.tif 000060
【図５９】
2010262185.tif 000061
【図６０】
2010262185.tif 000062
【図６１】
2010262185.tif 000063
【図６２】
2010262185.tif 000064
【図６３】
2010262185.tif 000065
【図６４】
2010262185.tif 000066